(57)【要約】  ワイヤレス通信環境における無線周波数（RF）においてFLO（forward link only）ネットワークを得る方法であって、第1のリストからRFを選択することと、第2のリストから信号パラメーター（SP）を選択することと、前記選択されたRFおよびSPを使用して第1のパラメーターが見つけられるかどうかを決定することと、および前記第1のパラメーターが見つけられるという決定に基づいて、前記FLOネットワークにおいて通信するために前記選択されたRFおよびSPの前記使用をイネーブルにすることとを含む方法。前記方法を実装するための装置もまた開示される。【選択図】図5
2010534982.tif 000002
【特許請求の範囲】
【請求項１】
ワイヤレス通信環境における無線周波数（RF）においてFLO（forward link only）ネットワークを得る方法であって、
第1のリストからRFを選択することと、
第２のリストから信号パラメーター（SP）を選択することと、
前記選択されたRFおよびSPを使用して第1のパラメーターが見つけられるかどうかを決定することと、および
前記第1のパラメーターが見つけられるという決定に基づいて、前記FLOネットワークにおいて通信するために前記選択されたRFおよびSPの前記使用をイネーブルにすることと
を具備する方法。
【請求項２】
前記選択されたSPは、前記第１のリストからの前記選択されたRFとの相互関係を有する、請求項1に記載の方法。
【請求項３】
前記第１のパラメーターが見つけられるかどうかを決定することは、所定の時間内に前記第１のパラメーターが見つけられるかどうかを決定することを具備する、請求項1に記載の方法。
【請求項４】
前記第１のパラメーターは、時間分割多重（TDM）パイロットである、請求項1に記載の方法。
【請求項５】
ワイドエリア・オーバーヘッド情報シンボル（WOIS）が見つけられるかどうかを決定することをさらに具備する、請求項1に記載の方法。
【請求項６】
前記WOISの前記存在の決定に基づいて、前記FLOネットワークにおいて通信するために前記選択されたSPの前記使用をイネーブルにすることをさらに具備する、請求項4に記載の方法。
【請求項７】
前記WOISが見つけられないという決定に基づいて、ワイドエリア同一性（WID）チャネルのエネルギーレベルを決定することをさらに具備する、請求項4に記載の方法。
【請求項８】
前記WIDチャネルの前記エネルギーレベルを決定することは、前記WIDチャネルの前記エネルギーレベルが所定の閾値レベルよりも上であるかどうかを決定することを具備する、請求項7に記載の方法。
【請求項９】
前記WIDチャネルの前記エネルギーレベルが前記所定の閾値レベルよりも上であるという決定に基づいて、前記FLOネットワークにおいて通信するために前記選択されたSPの前記使用をイネーブルにすることをさらに具備する、請求項8に記載の方法。
【請求項１０】
ワイヤレス通信環境においてFLO（forward link only）ネットワークを検出することを容易にする装置であって、
RFチャネルの第１のリストおよび信号パラメーター（SP）を記憶するメモリーと、
前記第１のリストからRFチャネルを選択する、前記メモリーに結合したプロセッサーと、
RFチャネルと通信する前記プロセッサーに結合した受信機とを具備する装置であって、
前記プロセッサーは、前記選択されたRFチャネルおよび前記SPを使用して第1のパラメーターが見つけられるかどうかを決定し、および前記第1のパラメーターが見つけられるという決定に基づいて、前記FLOネットワークにおいて通信するために前記選択されたRFチャネルおよびSPの前記使用をイネーブルにする、装置。
【請求項１１】
前記SPは、前記第1のリストからの前記選択されたRFチャネルとの相関関係を有する、請求項10に記載の装置。
【請求項１２】
前記第1のパラメーターが見つけられるかどうかを決定することは、所定の時間内に前記第1のパラメーターが見つけられるかどうかを決定することを具備する、請求項10に記載の装置。
【請求項１３】
前記第1のパラメーターは、時分割多重（TDM）パイロットである、請求項10に記載の装置。
【請求項１４】
前記プロセッサーは、ワイドエリア・オーバーヘッド情報シンボル（WOIS）が見つけられるかどうかをさらに決定する、請求項10に記載の装置。
【請求項１５】
前記WOISの前記存在の決定に基づいて、前記FLOネットワークにおいて通信するために前記受信機における前記SPの前記使用をイネーブルにすることをさらに具備する、請求項14に記載の装置。
【請求項１６】
前記プロセッサーは、前記WOISが見つけられないという決定に基づいてワイドエリア同一性（WID）チャネルのエネルギーレベルをさらに決定する、請求項14に記載の装置。
【請求項１７】
前記WIDチャネルの前記エネルギーレベルを決定することは、前記WIDチャネルの前記エネルギーレベルが前記所定の閾値レベルよりも上であるかどうかを決定することを具備する、請求項16に記載の装置。
【請求項１８】
前記WIDチャネルの前記エネルギーレベルが前記所定の閾値レベルよりも上であるという決定に基づいて、前記FLOネットワークにおいて通信するために前記SPの前記使用をイネーブルにすることをさらに具備する、請求項17に記載の装置。
【請求項１９】
プロセッサーによって実行されるとき、ワイヤレス通信環境における無線周波数（RF）においてFLO（forward link only）ネットワークを得る方法を実装する、機械可読媒体上に記憶されるプログラミングコードを備える機械可読媒体を具備するプロダクトであって、前記方法は、
第1のリストからRFを選択することと、
第2のリストから信号パラメーター（SP）を選択することと、
前記選択されたRFおよびSPを使用して第1のパラメーターが見つけられるかどうかを決定することと、および
前記第1のパラメーターが見つけられるという決定に基づいて、前記FLOネットワークにおいて通信するために前記選択されたRFおよびSPの前記使用をイネーブルにすることと
を具備するプロダクト。
【請求項２０】
前記対応するSPは、前記第1のリストから前記選択されたRFとの相関関係を有する、請求項19に記載のプロダクト。
【請求項２１】
前記第1のパラメーターが見つけられるかどうかを決定することは、前記第1のパラメーターが所定の時間内に見つけられるかどうかを決定することを具備する、請求項19に記載のプロダクト。
【請求項２２】
前記第1のパラメーターは、時分割多重（TDM）パイロットである、請求項19に記載のプロダクト。
【請求項２３】
前記方法は、ワイドエリア・オーバーヘッド情報シンボル（WIOS）が見つけられるかどうかを決定することをさらに具備する、請求項19に記載のプロダクト。
【請求項２４】
前記方法は、前記WOISの前記存在の決定に基づいて、前記FLOネットワークにおいて通信するために前記選択されたSPの前記使用をイネーブルにすることをさらに具備する、請求項22に記載のプロダクト。
【請求項２５】
前記方法は、前記WOISが見つけられないという決定に基づいて、ワイドエリア同一性（WID）チャネルのエネルギーレベルを決定することをさらに具備する、請求項22に記載のプロダクト。
【請求項２６】
前記WIDチャネルの前記エネルギーレベルを決定することは、前記WIDチャネルの前記エネルギーレベルが所定の閾値レベルよりも上であるかどうかを決定することを具備する、請求項24に記載のプロダクト。
【請求項２７】
前記方法は、前記WIDチャネルの前記エネルギーレベルが前記所定の閾値レベルよりも上であるという決定に基づいて、前記FLOネットワークにおいて通信するために前記選択されたSPの前記使用をイネーブルにすることをさらに具備する、請求項25に記載のプロダクト。
【発明の詳細な説明】
【関連出願の参照】
【０００１】
本件特許出願は、２００７年7月25日付けで出願された「METHOD AND APPARATUS FOR INITIAL ACQUISITION OF SIGNALING PARAMETERS FOR A WIRELESS COMMUNICATIONS NETWORK」という名称の米国仮出願第60/951,948号に基づいて優先権を主張するものでものであって、当該米国仮出願は、本件出願の出願人に譲渡され、参照によって、本件出願の明細書に明白に組み込まれている。
【技術分野】
【０００２】
本件発明は、一般にワイヤレス通信に関係し、より詳細には、ワイヤレス通信ネットワークのための信号パラメーターの初期獲得のための方法および装置に関係する。
【背景技術】
【０００３】
FLO（Forward Link Only）ネットワークのようなワイヤレス通信ネットワークは、モバイル・デバイスにリアルタイムのオーディオおよびビデオのマルチキャスティングを提供するように設計されている。FLOシステムは、有意なエネルギー、パス利得およびパス遅れを備えるチャネル・タップの数の観点でのチャネル特性が時間の周期とともに著しく変化すると予測されるモバイル環境において動作するように設計されている。よい受信機パフォーマンスおよび高いスペクトル効率を達成するために、FLOネットワークは、変調技術として直交周波数分割多重（OFDM）を使用する。OFDMアプローチでは、各々の副搬送波が直交振幅変調（QAM）シンボルによって変調された状態で、利用可能な帯域幅がN個のビン（副搬送波と呼ばれる）に分割される。受信機デバイスにおけるタイミング同期ブロックは、高速フーリエ変換（FFT）ウィンドウにおいて取り込まれるエネルギーを最大限にするために、OFDMシンボル境界を正確に選択することによってチャネル・プロフィールにおける変化に応答する。
【０００４】
OFDMの1つの重要な原則は、低いシンボルレート変調スキーム（つまり、チャネル時間特性と比較してシンボルが比較的長いスキーム）は、マルチパスによって引き起こされる干渉による悪化がより少ないので、単一の高いレート・ストリームの代わりにいくつかの低いレートのストリームが並行に送信されることである。各々のシンボルの持続時間が長いので、シンボル間の干渉を低減するためにOFDMシンボルの間にガードインターバルを挿入することが実行可能である。ガードインターバルの間、OFDMシンボルの終わりから成る周期的プレフィックスがOFDMシンボルにより送信される。ガードインターバルがOFDMシンボルの終わりのコピーを含む理由は、受信機がFFTによるOFDM復調を行なうとき、その受信機がマルチパスの各々のために正弦波サイクルの整数にわたって統合するためである。
【０００５】
ガードインターバルと同様にFFTサイズのような特定のFLOネットワークの信号パラメーター（SP）は、パワーアップまたは初期化プロセスの間にワイヤレス受信機デバイスによって決定される必要がある。そうでなければ、受信機が適切なSPを知らない場合、受信機は、FLOネットワークの波形を復号することができない。一般に、マルチメディアデータ獲得、獲得プロセスに必要な時間、および初期化プロセスをサポートするFLOブロードキャストの性質とすれば、最小限に抑えられる必要がある。むしろ、デバイスがFLOネットワークを獲得するための時間の低減は、ユーザーがデバイスを待つ時間を短縮する。
【発明の概要】
【０００６】
以下の説明は、本件主題の技術のさまざまな構成の単純化された概要を提供することによって、そのような構成のいくつかの態様の基本的な理解を提供する。この発明の概要は、すべてを含む網羅的概観ではない。この概要は、鍵となる／重大な要素を特定するものでもなく、または本件明細書において開示された構成の範囲を限定するように意図されるものではない。その唯一の目的は、後で提示されるより詳細な説明に先立つ事前の説明として、いくつかの概念を単純化された形式で提示することにある。
【０００７】
本件開示の1つの態様において、ワイヤレス通信環境において無線周波数（RF）におけるFLO（forward link only）ネットワークを獲得する方法は、第1のリストからRFを選択することと、第2のリストから信号パラメーター（SP）を選択することと、第1のパラメーターが前記選択されたRFおよびSPを使用して見つけられるかどうかを決定することと、および第1のパラメーターが見つけられるという決定に基づいて、FLOネットワークにおいて通信するために選択されたRFおよびSPの使用をイネーブルにすることとを含む。
【０００８】
本件開示の他の態様において、ワイヤレス通信環境においてFLO（forward link only）ネットワークを検出することを容易にする装置は、RFチャネルの第1のリストおよび信号パラメーター（SP）を記憶するメモリーと、前記第1のリストからRFチャネルを選択する、前記メモリーに連結されたプロセッサーと、RFチャネルと通信する前記プロセッサーに結合された受信機とを含み、および、ここにおいて、前記プロセッサーは、前記選択されたRFチャネルおよびSPを使用して第1のパラメーターが見つけられるかどうかを決定し、および前記第1のパラメーターが見つけられるという決定に基づいて、FLOネットワークにおいて通信するために、前記対応するSPの使用をイネーブルにする。
【０００９】
本件開示のさらなる態様において、製品は、プロセッサーによって実行されるとき、ワイヤレス通信環境において無線周波数（RF）におけるFLO（forward link only）ネットワークを獲得する方法を実装する、プログラミングコードを記憶する機械可読媒体を含む。前記方法は、第1のリストからRFを選択することと、第2のリストから信号パラメーター（SP）を選択することと、前記選択されたRFおよびSPを使用して第1のパラメーターが見つけられるかどうかを決定することと、および前記第1のパラメーターが見つけられるという決定に基づいて、FLOネットワークにおいて通信するために前記選択されたRFおよびSPの使用をイネーブルにすることとを含む。
【００１０】
本発明の他の構成は、以下の詳細な説明から当業者らに直ちに明白になるであろうことが理解される。ここにおいて、例として、本発明の様々な構成のみが表示され、説明される。後で理解されるように、本件明細書の教示は、他のおよび異なる構成に拡張されることができ、それぞれの詳説は、本件開示の範囲から逸脱することなく、さまざまな他の点において修正することができる。したがって、図面および詳細な説明は、制限ではなく、本質的に例示としてみなされるべきである。
【図面の簡単な説明】
【００１１】
【図１】図1は、RF周波数と信号パラメーターのさまざまな組み合わせをカバーするFLOネットワーク獲得の異なる複雑なレベルを組み込む状態図である。
【図２】図2は、NDMからのRFおよびSP情報を使用するレベル1の獲得プロセスのための状態図である。
【図３】図3は、帯域クラス情報からの予めプログラムされたRFリストおよびSPを使用するレベル2の獲得のための状態図である。
【図４】図4は、予めプログラムされたRFリストおよび予めプログラムされたSPリストの全部を使用するレベル3の獲得のための状態図である。
【図５】図5は、本件明細書において述べられる1つまたは複数の態様にしたがって、ワイヤレス通信環境においてFLOネットワーク獲得を容易にするユーザー・デバイスの例示である。
【図６】図6は、さまざまな態様にしたがって、ワイヤレス通信環境において複数のRFチャネルを提供することを容易にするシステムの例示である。
【図７】図7は、本件明細書において説明されるさまざまなシステムおよび方法とともに採用されることができるワイヤレス・ネットワーク環境の例示である。
【図８】図8は、信号パラメーター・チャネル（SPC）を使用して受信機に信号パラメーター情報の伝送のためのサポートを追加するように構成されているFLO物理層スーパーフレームの一例を例示する。
【発明の詳細な説明】
【００１２】
次に、図面に関してさまざまな実施形態が説明される。ここにおいて、同様の参照数字が同様の要素を言及するために全体を通して使用される。以下の記述において、説明の目的上、1つまたは複数の実施形態の完全な理解を提供するために多数の特定の詳細が記述される。しかしながら、そのような実施形態は、これらの詳細な説明によることなく実施可能であるということは明白であろう。他の実例において、１つまたは複数の実施形態を説明することを容易にするために、周知の構造およびデバイスがブロック図の形式で表される。
【００１３】
デバイスのパワーアップの際にFLOネットワークの獲得時間を最短にするために、好ましい実施形態は、次第により複雑なアルゴリズムになる段階的なアプローチを使用することによって、FLOネットワークSPを決定する。オペレーションの所与の帯域幅のための複数のRF周波数に加え、FFTサイズ、周期的プリフィックス、およびスロットからインターレースへのマップの観点での複数の信号パラメーター（SP）が受信機によってサポートされるときデバイスにおいて従われるべきパワーアップ・シーケンス100が図1において図示されている。具体的に、一般的な獲得プロセスに対応する状態図が図1に表示されている。本件明細書において説明されるパワーアップ・シーケンスは、FLOサービスを受信するのに使用されるであろうFLOネットワークを決定するために、RF周波数とともに異なるSPをスキャンする。RFとSPの複数のオプションの多数の組み合わせは、パワーアップの長期的遅れという結果となる場合がある。そこで、提案されたアルゴリズムは、3つのステップでパラメーターの予想されるリストをスキャンする。
【００１４】
ステップ102において、第1の獲得レベルにおいて、デバイスは、デバイスのパワーが落ちる前に最後に利用可能であった情報を使用してFLO信号をスキャンする。最後に知られている良い情報は、FLOネットワークにおける制御チャネルの成功的な復号に基づいてデバイスに記憶されるNDM（近隣明細メッセージ）テーブル内で維持される。特に、NDMテーブルは、無線周波数（RF）チャネルのリストを含む。ここにおいて、RFチャネルの各々において使用される信号パラメーターとともに、デバイスの地理的位置においてFLOサービスが利用可能である。最後にパワーが落ちたとき、デバイスが前記位置の近傍にまだある可能性が高い。したがって、NDMテーブルによって与えられる限定的セットを始めとすると、獲得時間を潜在的に改善することができるかもしれない。このステップの間、スキャンされるべきRFのリストであるRF_SCAN_LISTは、最初に、最後の成功的なNDMテーブルから得られる。1つの好ましい実施形態において、NDMリストはまた、各々のRFのためのSP情報を含む。
【００１５】
1つの好ましい実施形態において、FLOシステムのSPは、ローカルFLOのカバレッジ領域のためにPHY層において２つのSPチャネル（SPC）シンボルによって、またはデバイスがNDMメッセージをいったん復調しおよびプロセスすることが可能であると、近隣のサービス領域のためにNDMメッセージ（制御チャネルにおいて検索される）によって（または、上で述べられたように、デバイスがメモリー内に以前検索したNDM情報を有する場合、ローカルおよび近隣のサービスの両方のために）伝送される。
【００１６】
以前に言及されたように、FLO信号パラメーターは、FFTサイズ、周期的所定の長さ、およびFLO波形によって使用されているスロットからインターレースへのマップから成る。FLOデバイスは、FLO波形が成功的に復号されることができる前に、この情報を所有する必要がある。SP情報は、２つのOFDMシンボルを具備するSPCにおいて伝送される。第１のSPCシンボルにおいて伝送される情報は、次の通りである。
【表１】
2010534982.tif 000003
【００１７】
表1：SPCによって伝送される情報
【００１８】
システム獲得の目的のために、SPCシンボル1が将来の使用のための予約された領域を含むので、SPCシンボル0のみが処理される必要がある。しかしながら、システムに追加されることができる任意の追加の情報を得るためにSPCシンボル1が処理されるときでさえ本件明細書において提案されたアルゴリズムが適用可能である。さらに、SPCシンボル0から得られた情報の8ビットは、本件明細書においてSPと呼ばれる。本質的には、FFTサイズ、周期的所定の長さ、およびスロットからインターレースへのマップは、SPCシンボルから決定されることができる。１つの実施形態において、FLOネットワークは、異なるFFTサイズ1024（「1k」モードとも呼ばれる）、2048（2k）、4096（4k）、および8192（8k）；異なる周波数ガードインターバル（FGI）；およびスロットからインターレースへのマッピングを含むSPの異なる組み合わせをサポートするものであって、モードごとに異なるSPCシンボルを具備するビットの結合は、次の通りである。
【表２】
2010534982.tif 000004
【００１９】
１つの特定の実施形態において、本件明細書において説明されるアルゴリズムは、本件明細書においてさらに議論されるように、SPCからSP情報を得て、復号されたSP情報によるオペレーションのためにSP情報をハードウェアにプログラムし戻す。
【００２０】
送信の前に、FLOデータは、一般に、スーパーフレームに組織化される。各々のスーパーフレームは、一秒間の持続時間を有する。スーパーフレームは、一般に、4,096個の副搬送波によりOFDM変調される1,200個のシンボル（または使用されている帯域幅に基づいたOFDMシンボルの可変数）から成る。スーパーフレームにおける1,200個のOFDMシンボルの中には、２つの時分割多重（TDM）パイロットシンボル（TDM1,TDM2）、１つのワイドエリアおよび１つのローカル識別チャネル（WICおよびLIC）シンボル、4つの推移パイロットチャネル（TPC）シンボルを含む14個のオーバーヘッド情報シンボル（OIS）チャネルシンボル、測位位置により支援するための8個の測位パイロットチャネル（PPC）シンボル、２つのSPCシンボルおよび4つのデータフレームがある。TDMパイロットシンボル1（TDM1）は、各々のスーパーフレームの第１のOFDMシンボルであって、TDM1は周期的である。関心のある各々のチャネルのために伝送されている、OISシンボルは、データ（つまり、シンボル）のマッピングを含む。受信機は、フレーム同期および初期の時間（粗いタイミング）のためのTDM1および周波数獲得を使用する。典型的なスーパーフレーム構造800が図8において表示されている。
【００２１】
ステップ104において、ステップ102の第1のレベルがFLO獲得という結果とならない場合、または第1のレベルが可能でない場合（例えば、NDMが利用不可である場合での第1パワーアップ）、デバイスは、第2の獲得レベルに入る。第2のレベルにおいて、各々のRF周波数についてSPオプションが帯域クラス情報を使用するものに限定されるのに対し、RF_SCAN_LISTは、予めプログラムされたリストによって利用可能である全ての可能なRFをカバーする。具体的には、各々のFLOデバイスは、RF周波数のリストおよび関連したチャネルプランにより予め備えられている。予め備えられているリストは、異なるFLO配備エリア間の移動性／ローミングを適応させるために、RFを含む。
【００２２】
ステップ106において、レベル2の処理もまた成功的なFLO獲得という結果とならない場合、デバイスは、すべての予めプログラムされたSPとともに、予めプログラムされたRFのすべての可能な組み合わせをくまなく実行する。
【００２３】
最後に、3つの獲得レベルがすべて失敗したら、外部ループが利用される。外部ループは、Ｔ秒間のタイマーを必要とし、およびタイマーの満了時に、デバイスは、同じシーケンスにおける3つの獲得レベルをひととおりやってみる。特に、外部ループの時間Tにおいて使用される時間は、連続的外部ループ・オペレーションのための予め決定されたやり方で固定されてもよいし、または変化されてもよい。
【００２４】
レベル1の獲得のための状態図の形式における詳細な説明が図2において表示されている。それは、NDMテーブルからのRFおよびSP情報を使用する。具体的には、デバイスは、NDMにもとづいて、各々のRFのためにSP_SCAN_LISTのみならずRF_SCAN_LISTの両方を初期化することによって開始する。FLOオペレーションの帯域幅において測定される合計パワーまたは信号対雑音比のいずれか、または信号品質のための任意の他のメトリックに基づいて、RFスキャンリストにおいて利用可能なRF周波数から最良のRFが選択される。特に、使用されたメトリックが特定のRFにおけるFLO帯域幅において測定される合計信号パワーであるとき、それは、方法Ｄと呼ばれる。選択された各々のRFのために、NDMに基づく対応するSPがハードウェアにプログラムされる。
【００２５】
図2は、NDMリストから検索されたRFおよびSP情報を使用するレベル1の獲得プロセス200のための詳細な状態図である。
【００２６】
1つの例示的実施形態において、ステップ204において、ソフトウェアは、TDM1処理をイネーブルにする。ステップ210において、TDM1がT1秒（1つの実施形態において、T1 = 1.1秒）で検出されない場合、RFは、RF_SCAN_LISTから落とされる。方法Ｄが再び行なわれ、NDMリストからの対応するSPとともに新しいRF上でプロセスが繰り返される。ステップ202のように、RF_SCAN_LISTにおけるすべてのRFがTDM1を検出せずに使い果たされる場合、図3において詳述されるように、獲得プロセスは、レベル2に移る。
【００２７】
一般に、FFTモードがTDM1の周期で符号化されるので、周期的なTDM1が得られた後、FFTモードが得られることができる。具体的には、TDM1の周期は、FFTモードを示す。しかしながら、TDM1は、TDM1の送信の実際の周期を見ずに得られることができる。他の実施形態において、WID_energyが所定の閾値よりも大きいかまたは同等であると決定されたら、システムは、直接SPを得ることができる。
【００２８】
T1秒以内に関心のある特定のRFにおいてTDM1が検出されたら、ワイドエリア識別（WID）チャネル（WIC）およびワイドエリア・オーバーヘッド情報シンボル（WOIS）は、ステップ206と同様に処理される。WOISが成功したら、FFTサイズおよびパイロット・パターンについて推定されたSPは、正しい。受信機は、その後、制御チャネルを復号するためにステップ212に進む。制御チャネルが復号可能である場合、RFおよびSPを含む正しいパラメーターが推定／発見されて、システムが獲得される。制御チャネルは、いくつのチャネルがシステムに存在し、それらがどのように符号化（例えば、変調およびパラメーター符号化）されるかを説明する。制御チャネルが受信可能である場合、受信機は、OFDMシンボルを復号することができる。受信機がOIS、FFTおよびパイロット・パターン情報のような情報を有する場合であっても、それは、受信機がFLOネットワークと通信するのに必要なすべてのSPを有することを意味しない。例えば、OISの成功的な復号は、受信機において、周期的プリフィックスの長さが正確に知られ、または推定されていることを保証しない。しかしながら、制御チャネルが復号されることができる場合、受信機において推定される周期的プリフィックスの長さは、受信された波形に一致する。したがって、受信機は、最初に、推定されたSPが受信された波形と一致するかどうかを確認するために制御チャネルを復号するよう試みる。しかしながら、制御チャネルの処理が失敗したら、ステップ208においてSPC処理がイネーブルにされる。
【００２９】
ステップ206に戻り、WOIS検出が失敗した場合であっても、受信機がFLOスーパーフレーム境界に同期しているかどうかを決定するためにWICおよびLICシンボルからの復号メトリックが使用されることができる。1つの特定の実施形態において、WICチャネルは、受信機において、WIDフィールドのすべての可能な組み合わせを使用して処理される。WIDの各々の選択により得られるチャネル品質に基づくエネルギー・メトリックが定義されてもよい。最大エネルギー・メトリックは、その後、予めプログラムされたまたは実行中に計算された閾値と比較されてもよい。WIDエネルギー・メトリックが閾値よりも少ない場合、誤り検出を意味する。対応するRFは、ステップ210においてRF_SCAN_LISTから落とされ、新しいRF上で処理が繰り返される。WIDエネルギー・メトリックが閾値よりも大きい場合、スーパーフレーム同期は、広い範囲に保証され、したがって、ステップ208においてSPC処理がイネーブルにされる。
【００３０】
ステップ208において、チャネル品質に基づくエネルギー・メトリックがSPの各々の選択のために得られることができる。このようにして得られた最大エネルギー・メトリックは、SPCエネルギー（SPC_ERG）と呼ばれる。ステップ214において、SPCエネルギーが閾値よりも少なく、システムがデフォルトモード（「4kモード」と呼ばれる）である場合、1/8CPのレガシー・ネットワークSPおよび（２,6）パイロットが使用され、および非4kモードのために誤り検出が要求されるべきである。SPCエネルギーが閾値よりも大きい場合、ステップ216においてSPCからの情報が使用されることによって、ステップ218においてTDM1およびWOISが検出される。１つの実施形態において、SPCからのパラメーターは、モード・レジスターのハードウェア・バージョンに上書きするためにも使用される。TDM1がT1秒以内に検出されないか、またはWOISが失敗する場合、RFは、RF_SCAN_LIST 210から落とされる。
【００３１】
図3は、NDMリストを使用するレベル1の獲得が失敗したとき、帯域クラス情報からの予めプログラムされたRFリストおよびSPを使用するレベル2の獲得のための状態図を詳述する。したがって、すべてのRF周波数がレベル1において使い果たされたら、前記獲得は、全部の予めプログラムされたリストをカバーするために、NDMテーブルを超えてRF_SCAN_LISTが拡張されるレベル2へ進む。しかしながら、SPオプションは、ステップ314において、3つの帯域クラスのうちの１つにRF周波数をマッピングすることによって得られることができる制限的セットに制限される。特に、以下のマッピングは、異なる帯域クラスのためにプログラムされるべきSPパラメーターを決定するために使用されることができる例示的な実施例である。
【表３】
2010534982.tif 000005
【００３２】
表2：デフォルト帯域クラスSP情報
【００３３】
SPのためのこの帯域クラス情報により、レベル2の獲得は、図3において表示されるような状態図を使用してレベル1の獲得に類似して行なわれる。ここにおいて、ステップ306-318は、同様に番号が付けられたステップ206-218にそれぞれ対応する。ステップ302において決定されるように、予めプログラムされたRFリストの全部が使い尽くされた後でもFLOシステムが獲得されない場合、レベル3の獲得が行なわれる。
【００３４】
レベル2の獲得において、RFの帯域クラスに依存して、各々のRFのためのSP_SCAN_LISTがたった1つのSPセットから成るのに対し、RF_SCAN_LISTは、予めプログラムされたリストの全体から成る。１つの実施形態において、最も網羅的であるレベル3の獲得において、ステップ420に図示されるように、予めプログラムされたリストにおけるRF周波数の各々のためにすべての可能なSPセット（予めプログラムされている）が試される。ここにおいて、SP_SCAN_LISTにおけるすべてのSPをウォークスルーするためにすべてのSPのインデックス（SP_IDX）が使用される。
【００３５】
レベル3の獲得のための状態図が図4において例示されている。具体的に、シーケンスは次のとおりである。RF_SCAN_LISTは、プロセスの初期化の際に、予めプログラムされたリストに最初にセットされる。ステップ404において、方法Dモニタリングは、RF_SCAN_LISTにおいて利用可能なものから最良のRFを選択するために使用される。加えて、SPC_SCAN_LISTは、その後、ウィニングRFのためのSPCパラメーターのためのすべての可能な組み合わせをスパンするためにセットされる。なお、SP_SCAN_LIST = PP SPリストである。検索はその後、ステップ422において、TDM1について行われる。TDM1が見つからない場合、SP_IDXは、ステップ420において１つ増やされ、これにより、SP_SCAN_LISTにおける次のSPは、TDM1を検出するために使用されることができる。
【００３６】
TDM1が見つけられたと仮定し、ステップ406-408および412-418において表示されているようにFLOサービスをスキャンするためにSPCセットの各々が使用される。ここにおいて、ステップ406-408および412-418は、同様に番号が付けられたステップ206-208および212-218に対応する。加えて、ステップ414は、SP_SCAN_LIST_SIZEが0である設定を含む。この設定は、TDM1が見つけられない場合、およびさらなるSPがRFについてテストされない場合、そのRFを落とす効果がある。成功的なWOIS検出なしにSPC_SCAN_LISTにおけるすべてのSPCの組み合わせが使い尽くされる場合、ステップ410において、RF_SCAN_LISTからRF周波数が落とされ、ステップ404においてRF_SCAN_LISTから次の最良のRF周波数のために処理が繰り返される。この処理は、RFおよびSPの特定の組み合わせによりFLOサービスが発見されるまで、またはRF_SCAN_LISTにおけるすべてのRF周波数が試されるまで繰り返される。
【００３７】
ステップ402において図示されるように、FLOサービスがレベル3の獲得プロセスの終わりにおいて見つけられない場合、図1において図示されるように、外部ループが使用されるようになる。具体的には、図1を再度参照し、デバイスは、T秒の間休止状態に置かれる。ここにおいて、特定の実施形態において、T = 20秒であり、およびレベル1から始まりレベル3まで搬送される獲得プロセスは、FLOサービスが見つけられるまで、またはレベル3の獲得プロセスの終わりが到達するまで繰り返される。外部ループが複数回実行される場合、外部ループにおいて使用される時間Tは、変化してもよい。特定の実施形態において、デバイスがパワーアップの後最初に外部ループに入る場合、時間T01秒（T01は、20秒である）が使用されてもよい。T01秒後、デバイスは、再び獲得の3つのレベルのうちの１つまたは複数を実行し、およびFLOサービスがまだ発見されない場合、デバイスは、T02秒の間休止状態に置かれてもよい。これは、T01と異なってもよい。したがって、デバイスは、外部ループに入る度に、休止状態のために異なる時間を使用することができる。
【００３８】
さらにシステムの応答性を向上させるために、１つの実施形態において、受信機がデータをバッファするように構成されていることにより、少なくとも最後の２つのシンボルが記憶される。したがって、本件明細書において説明される獲得アルゴリズムのどれかによってTDM1が見つけられるとき、システムは、バッファから以前受信されたSPCを検索することができ、WOISを復号するためのSPCと関連したパラメーターを使用することができる。
【００３９】
図5は、本件明細書において述べられる１つまたは複数の態様にしたがって、ワイヤレス通信環境においてFLOネットワーク検出プロセスを実装するために使用されることができるユーザー・デバイス500の例示である。ユーザー・デバイス500は、例えば、受信アンテナ（図示されていない）から信号を受信し、受信信号に典型的な動作（例えば、フィルター、増幅、ダウンコンバートなど）を行い、サンプルを得るために調整された信号をデジタル化する受信機502を具備する。復調器504は、復調し、チャネル推定のためにプロセッサー506に受信されたパイロットシンボルを提供することができる。プロセッサー506は、受信機502によって受信された情報を分析することおよび／または送信機516による送信のために情報を生成することに専用化させられているプロセッサー、ユーザー・デバイス500の１つまたは複数のコンポーネントを制御するプロセッサー、および／または、受信機502によって受信された情報を分析し、送信機516による送信のための情報を生成し、およびユーザー・デバイス500の１つまたは複数のコンポーネントを制御することをすべて行なうプロセッサーであってもよい。
【００４０】
ユーザー・デバイス500は、プロセッサー506に作動的に結合され、RFチャネルの同一性に関連した情報、それらと関係したTDMパイロット情報、TDMパイロットカウンター調節、NDMテーブルのようなルックアップテーブルおよびそれらに関連する情報、および本件明細書において説明されるようにワイヤレス通信システムにおけるユーザーにシームレス情報ディスプレイを提供するためにRFチャネルをモニタリングおよび／または交換することをサポートするための任意の他の適切な情報を記憶するメモリー508を追加的に具備することができる。メモリー508は、RFチャネル・モニタリング、RFチャネル交換などのためのプロトコルを追加的に記憶することができる。そのことによって、ユーザー・デバイス500は、本件明細書において説明されたさまざまな方法を行うための記憶されたプロトコルおよび／またはアルゴリズムを採用することができる。
【００４１】
本件明細書において説明されるデータ記憶装置（例えば、メモリー）は、発揮性メモリーまたは非発揮性メモリーのいずれかであってもよく、または発揮性メモリーおよび非発揮性メモリーの両方を含んでもよい。実例として、以下のものに制限はされないが、非発揮性メモリーは、読み出し専用メモリー（ＲＯＭ）、プログラマブルＲＯＭ（ＰＲＯＭ）、電気的プログラマブルＲＯＭ（ＥＰＲＯＭ）、電気的消去可能ROM（ＥＥＰＲＯＭ）、またはフラッシュメモリーを含むことができる。揮発性メモリーは、ランダムアクセス・メモリー（ＲＡＭ）を含むことができる。これは外部キャッシュ・メモリーとして働く。非制限的な例示として、RAMは、同時RAM（SRAM）、動的なRAM（ＤＲＡＭ）、シンクロナスＤＲＡＭ（ＳＤＲＡＭ）、ダブル・データ・レートＳＤＲＡＭ（ＤＤＲ  ＳＤＲＡＭ）、強化ＳＤＲＡＭ（ＥＳＤＲＡＭ）、シンクリンクＤＲＡＭ（ＳＬＤＲＡＭ）、および直接ランバスＲＡＭ（ＤＲＲＡＭ）のような複数の形式で使用可能である。本件主題のシステムおよび方法のメモリー1108は、これらおよび任意のその他の適切なメモリーのタイプを具備するように意図される。ただし、そのようなメモリーに限定されるものではない。
【００４２】
受信機502は、新しいFLO RFチャネルのモニタリングを開始することを容易にするFLOチャネル・モニター510をさらに具備してもよい。追加的におよび／または代替的に、FLOチャネル・モニター510は、FLOチャネル・モニタリングが開始されたアプリケーションを行なうことができる。受信機502は、１つまたは複数のRFチャネルの背景モニタリングに関係したさまざまな動作を行なう背景モニター512をさらに具備してもよい。例えば、背景モニター512は、RF周波数がもとに切り替えられるとき、もとのチャネル上で受信機のオペレーションを回復するために、DC、AGC、AFC、およびタイミングブロックに関係したさまざまな制約を課することができる。
【００４３】
図6は、さまざまな態様にしたがって、ワイヤレス通信環境において複数のRFチャネルを提供することを容易にするシステム600の例示である。システム600は、複数の受信アンテナ606によって１つまたは複数のユーザー・デバイス604から信号（複数）を受信する受信機610、および送信アンテナ608によって１つまたは複数のユーザー・デバイス604に送信する送信機622を備える基地局602を具備する。受信機610は、受信アンテナ606から情報を受信することができ、受信情報を復調する復調器612と機能的に関連している。復調されたシンボルは、図5に関して上で説明されたプロセッサーと同様のプロセッサー614によって分析される。プロセッサー614は、ユーザー同一性に関連した情報、RFチャネル周波数、RFチャネル上で送信されるデータ、それに関係したルックアップテーブル、および／または本件明細書において述べられるさまざまな動作および機能を行なうことに関係した任意の他の適切な情報を記憶するメモリー616に結合される。プロセッサー614は、複数のRFチャネル上でスーパーフレーム送信を同期するFLOチャネル・ガバナー618にさらに結合される。それは、前述の図面に関して説明されたように、ユーザー・デバイス（複数）604によるRFチャネル交換を容易にすることができる。変調器620は、送信アンテナ608を通って送信機622によるユーザー・デバイス（複数）604への送信のために信号を多重化することができる。このように、基地局602は、ユーザー・デバイス（複数）604と相互に作用することができ、これによって、RFチャネル交換、FLO信号検出、チャネル・モニタリングなどを可能にする。
【００４４】
図7は、端末とも呼ばれるワイヤレス・デバイス、および基地局が作動することができるワイヤレス通信システム700の一例を表わす。ワイヤレス通信システム700は、簡略にするために、1つの基地局および１つの端末を図示する。しかしながら、システムは、2つ以上の基地局および／または2つ以上の端末を含んでもよく、追加の基地局および／または端末は、以下で説明される基地局および端末の一例と実質的に同様または異なってもよいということが認識されるべきである。加えて、基地局および／端末は、それらの間のワイヤレス通信を容易にするために本件明細書において説明されるシステムおよび／または方法を採用してもよいということが認識されるべきである。
【００４５】
次に図7を参照し、ダウンリンク上で、アクセスポイント705において、送信（TX）データプロセッサー710は、トラヒックデータを受信し、フォーマットし、符号化し、インターリーブし、および変調（またはシンボルマップ）し、変調シンボル（「データシンボル」）を提供する。シンボル変調器715は、データシンボルおよびパイロットシンボルを受信しおよび処理し、そして、シンボルのストリームを提供する。シンボル変調器720は、データおよびパイロットシンボルを多重化し、そして送信機ユニット（TMTR）720にそれらを提供する。各々の送信シンボルは、データシンボル、パイロットシンボル、またはゼロの信号値であってもよい。パイロットシンボルは、各々のシンボル周期で連続的に送信されてもよい。パイロットシンボルは、周波数分割多重（FDM）、直交周波数分割多重（OFDM）、時分割多重（TDM）、周波数分割多重（FDM）、または符号分割多重（CDM）であってもよい。
【００４６】
TMTR720は、シンボルのストリームを受信し、１つまたは複数のアナログ信号に変換し、ワイヤレスチャネル上の送信に最適なダウンリンク信号を生成するためにアナログ信号をさらに調整（例えば、増幅、フィルター、および周波数アップコンバート）する。その後、ダウンリンク信号は、アンテナ725を通って端末に送信される。端末730において、アンテナ735は、ダウンリンク信号を受信し、受信された信号を受信ユニット（RCVR）740に提供する。受信ユニット740は、受信された信号を調整（例えば、フィルター、増幅、および周波数ダウンコンバート）し、サンプルを得るために調整された信号をデジタル化する。シンボル復調器745は、受信されたパイロットシンボルを復調し、チャネル推定のためにプロセッサー750に提供する。シンボル変調器745は、プロセッサー750からダウンリンクのための周波数応答推定をさらに受信し、データシンボル推定（送信されたデータシンボルの推定である）を得るために受信されたデータシンボル上でデータ復調を行い、および送信されたトラヒックデータを回復するためにデータシンボル推定を復調（つまり、シンボル逆マップ）、逆インターリーブ、および復号するRXデータプロセッサー755にデータシンボル推定を提供する。シンボル復調器745およびRXデータプロセッサー755による処理は、アクセスポイント705におけるシンボル変調器715およびTXデータプロセッサー710による処理とそれぞれ相補的である。
【００４７】
アップリンク上で、TXデータプロセッサー760は、トラヒックデータを処理し、データシンボルを提供する。シンボル変調器765は、受信しおよびパイロットシンボルによりデータシンボルを多重化し、変調をおこない、そしてシンボルストリームを提供する。送信機ユニット770は、その後、シンボルストリームを受信および処理し、そのことによってアップリンク信号を生成し、そしてその信号は、アンテナ735によってアクセスポイント1305に送信される。
【００４８】
アクセスポイント705において、端末730からのアップリンク信号は、アンテナ725によって受信され、サンプルを得るために受信機ユニット775によって処理される。シンボル復調器780は、その後、サンプルを処理し、およびアップリンクのためのパイロットシンボルおよびデータシンボル推定を提供する。RXデータプロセッサー785は、データシンボル推定を処理して、端末730によって送信されるトラヒックデータを回復する。プロセッサー790は、アップリンク上で送信する各々のアクティブな端末のためにチャネル推定を行なう。複数の端末は、パイロット副帯域のそれらのそれぞれの割り当てられたセット上のアップリンク上で同時にパイロットを送信することができる。ここにおいて、パイロット副帯域セットは、インターレースされてもよい。
【００４９】
プロセッサー790および750は、アクセスポイント705および端末730にそれぞれ操作を命じる（例えば、制御、調節、管理など）。それぞれのプロセッサー790および750は、プログラムコードおよびデータを記憶するメモリーユニット（表示されていない）と関連させられていてもよい。プロセッサー790および750はまた、アップリンクおよびダウンリンクのために周波数およびインパルス応答推定を導き出すためにそれぞれ計算を行なうことができる。
【００５０】
本件明細書において説明された技術は、様々な手段によって実装されてもよい。例えば、これらの技術は、ハードウェア、ソフトウェア、またはこれらの組み合わせにおいて実装されてもよい。ハードウェアによる実装の場合、FLOネットワークの獲得のために使用される処理ユニットは、１つまたは複数の特定用途向け集積回路（ＡＳＩＣ）、デジタル信号プロセッサー（ＤＳＰ）、デジタル信号処理デバイス（ＤＳＰＤ）、プログラマブル論理回路（ＰＬＤ）、フィールドプログラマブルゲートアレイ（ＦＰＧＡ）、プロセッサー、コントローラー、マイクロ・コントローラー、マイクロプロセッサー、その他の電子ユニットであって本件明細書記載の機能を実行するように設計されたもの、またはこれらのものの組み合わせの中で実装されてもよい。ソフトウェアによる実装は、本件明細書において説明される機能を行なうモジュール（例えば、手順、機能など）によってもよい。ソフトウェアコードは、メモリーユニットに記憶され、プロセッサー790および750によって実行されてもよい。
【００５１】
上記における説明は、例示的な実施形態を含む。前述の実施形態を説明する目的のために、コンポーネントまたは方法の考えられるすべての組み合わせを説明することはもちろん不可能であるが、通常の当業者であるならば、さまざまな実施形態の多くのさらなる組み合わせおよび入れ替えが可能であるということを認識することができる。したがって、これらの実施形態は、別添の請求項の要旨および範囲の中のそのような変更、修正、および変形をすべて包括するように意図されている。さらに、「含む(include)」という語が詳細な説明または請求項のいずれかで使用される限りにおいて、その語は、「具備する(comprising)」という語が請求項において接続的用語として使用されるときに解釈されるのと同じような意味合いで包括的であるように意図されている。
【図１】
2010534982.tif 000006
【図２】
2010534982.tif 000007
【図３】
2010534982.tif 000008
【図４】
2010534982.tif 000009
【図５】
2010534982.tif 000010
【図６】
2010534982.tif 000011
【図７】
2010534982.tif 000012
【図８】
2010534982.tif 000013
【国際調査報告】
2010534982.tif 000014
2010534982.tif 000015
2010534982.tif 000016